(57)【要約】【課題】リールユニットの強度を向上しつつも、リールユニットを取り付ける作業の製造工程を短縮させるとともに、静電気の帯電を防止できる遊技機を提供すること。【解決手段】パチスロ１は、樹脂製の上部固定部１１２と金属製の上部固定プレート１３０と金属製のモータベース上部１２６Ｌ，１２６Ｃ，１２６Ｒとを重畳させた状態で固定する金属製の上部ネジ１７１Ｌ，１７１Ｃ，１７１Ｒと、樹脂製の下部固定部１１４と金属製の下部固定プレート１５０と金属製のモータベース下部１２５Ｌ，１２５Ｃ，１２５Ｒとを重畳させた状態で固定する金属製のモータベース下部固定ネジ１７０Ｌ，１７０Ｃ，１７０Ｒと、を有する。【選択図】図８
2010012240.tif 000002
【特許請求の範囲】
【請求項１】
遊技に必要な複数のシンボル群を変動表示するリールユニットと、遊技者が操作可能なスタートレバーと、遊技者による前記スタートレバーの操作に基づいて前記リールユニットのシンボル群を変動表示させる制御を行うコントローラと、これらが設けられる筐体と、を備え、
前記筐体は、箱状の金属製のキャビネットを有し、
前記リールユニットは、
前記シンボル群が描かれたリールシートが配設された複数のリールドラムと、
前記リールドラムをそれぞれ回転駆動させるための複数のリールモータと、
前記キャビネットに接続され、前記リールドラムと前記リールモータとがそれぞれ取り付けられる複数の金属製のモータベースと、
並べて配置された前記リールドラムおよび前記モータベースの一部を覆う樹脂製のリールベースと、
前記リールベースの上部と前記モータベースの上部に固定され、複数の前記モータベースの上部に跨って延びる板状体に形成された金属製の上部固定プレートと、
前記リールベースの下部と前記モータベースの下部とともに固定され、複数の前記モータベースの下部に跨って延びる板状体に形成された金属製の下部固定プレートと、
前記リールベースの上部と前記上部固定プレートと前記モータベースの上部とを重畳させた状態で固定する金属製のモータベース上部固定部材と、
前記リールベースの下部と前記下部固定プレートと前記モータベースの下部とを重畳させた状態で固定する金属製のモータベース下部固定部材と、
を有することを特徴とする遊技機。
【請求項２】
遊技に必要な複数のシンボル群を変動表示するリールユニットと、遊技者が操作可能なスタートレバーと、遊技者による前記スタートレバーの操作に基づいて前記リールユニットのシンボル群を変動表示させる制御を行うコントローラと、これらが設けられる筐体と、を備え、
前記筐体は、
箱状の金属製のキャビネットと、
前記キャビネットの内部の高さ方向略中央で上下に仕切り前記キャビネットの内部に接続された金属製のミドルボードと、を有し、
前記リールユニットは、
前記シンボル群が描かれたリールシートが配設された複数のリールドラムと、
前記リールドラムをそれぞれ回転駆動させるための複数のリールモータと、
前記ミドルボードに接続され、前記リールドラムと前記リールモータとがそれぞれ取り付けられる複数の金属製のモータベースと、
並べて配置された前記リールドラムおよび前記モータベースの一部を覆う樹脂製のリールベースと、
前記リールベースの上部と前記モータベースの上部ととともに固定され、複数の前記モータベースの上部に跨って延びる板状体に形成された金属製の上部固定プレートと、
前記リールベースの下部とともに固定される金属製の下部固定プレートと、
前記リールベースの上部と前記上部固定プレートと前記モータベースの上部とを重畳させた状態で固定する金属製のモータベース上部固定部材と、
前記リールベースの下部と前記下部固定プレートと前記ミドルボードとを重畳させた状態で固定する金属製のミドルボード固定部材と、
を有することを特徴とする遊技機。
【請求項３】
遊技に必要な複数のシンボル群を変動表示するリールユニットと、遊技者が操作可能なスタートレバーと、遊技者による前記スタートレバーの操作に基づいて前記リールユニットのシンボル群を変動表示させる制御を行うコントローラと、これらが設けられる筐体と、を備え、
前記筐体は、
箱状の金属製のキャビネットと、
前記キャビネットの内部の高さ方向略中央で上下に仕切り前記キャビネットの内部に接続された金属製のミドルボードと、を有し、
前記リールユニットは、
前記シンボル群が描かれたリールシートが配設された複数のリールドラムと、
前記リールドラムをそれぞれ回転駆動させるための複数のリールモータと、
前記キャビネットに接続され、前記リールドラムと前記リールモータとがそれぞれ取り付けられる複数の金属製のモータベースと、
並べて配置された前記リールドラムおよび前記モータベースの一部を覆う樹脂製のリールベースと、
前記リールベースの上部と前記モータベースの上部に固定され、複数の前記モータベースの上部に跨って延びる板状体に形成された金属製の上部固定プレートと、
前記リールベースの下部と前記モータベースの下部とともに固定され、複数の前記モータベースの下部に跨って延びる板状体に形成された金属製の下部固定プレートと、
前記リールベースの上部と前記上部固定プレートと前記モータベースの上部とを重畳させた状態で固定する金属製のモータベース上部固定部材と、
前記リールベースの下部と前記下部固定プレートと前記モータベースの下部とを重畳させた状態で固定する金属製のモータベース下部固定部材と、
前記リールベースの下部と前記下部固定プレートと前記ミドルボードとを重畳させた状態で固定する金属製のミドルボード固定部材と、
を有することを特徴とする遊技機。
【請求項４】
遊技に必要な複数のシンボル群を変動表示するリールユニットと、遊技者が操作可能なスタートレバーと、遊技者による前記スタートレバーの操作に基づいて前記リールユニットのシンボル群を変動表示させる制御を行うコントローラと、これらが設けられる筐体と、を備え、
前記筐体は、
箱状の金属製のキャビネットと、
前記キャビネットの内部の高さ方向略中央で上下に仕切り前記キャビネットの内部に接続された金属製のミドルボードと、を有し、
前記リールユニットは、
前記シンボル群が描かれたリールシートが配設された複数のリールドラムと、
前記リールドラムをそれぞれ回転駆動させるための複数のリールモータと、
前記キャビネットに接続され、前記リールドラムと前記リールモータとがそれぞれ取り付けられる複数の金属製のモータベースと、
並べて配置された前記リールドラムおよび前記モータベースの一部を覆う樹脂製のリールベースと、
前記リールベースの上部と前記モータベースの上部に固定され、複数の前記モータベースの上部に跨って延びる板状体に形成された金属製の上部固定プレートと、
前記リールベースの下部と前記モータベースの下部とともに固定され、複数の前記モータベースの下部に跨って延びる板状体に形成された金属製の下部固定プレートと、
前記リールベースの上部と前記上部固定プレートと前記モータベースの上部とを重畳させた状態で固定する金属製のモータベース上部固定ネジと、
前記リールベースの下部と前記下部固定プレートと前記モータベースの下部と前記ミドルボードとを重畳させた状態で固定する金属製のモータベース下部固定ネジと、
前記リールベースの下部と前記下部固定プレートと前記ミドルボードとを重畳させた状態で固定する金属製のミドルボード固定ネジと、
を有し、
前記モータベースの上部には、前記モータベース上部固定ネジが挿入されるネジ穴を有する上部固定部が形成され、
前記モータベースの下部には、前記モータベース下部固定ネジが挿入されるネジ穴を有する下部固定部が形成され、
前記リールベースの上部には、表面から前記上部固定部が嵌み込まれる上部凹部が形成され、この上部凹部の裏面側には、前記上部固定プレートを支持する上部支持部が形成され、
前記リールベースの下部には、表面から前記下部固定部が嵌み込まれる下部凹部が形成され、この下部凹部の裏面側には、前記下部固定プレートを支持する下部支持部が形成されることを特徴とする遊技機。
【発明の詳細な説明】
【技術分野】
【０００１】
本発明は、遊技機に関する。特に、静電気の帯電を防止した樹脂製リールユニットを備える遊技機に関するものである。
【背景技術】
【０００２】
例えば、停止ボタンを備えたスロットマシン、いわゆるパチスロ機は、正面の表示窓内に複数のシンボルを表示する複数の機械式回転リール、或いはリール上のシンボルを画面に表示する電気的変動表示装置を有する。遊技者のスタート操作に応じて、コントローラが複数の機械式回転リールを駆動して各リールを回転させることにより、シンボルを変動表示させ、一定時間後自動的に或いは遊技者の停止操作により、各リールの回転を順次停止させる。このとき、表示窓内に現れた各リールのシンボルが特定の組合せ（入賞シンボル）になった場合にコイン、メダル等の遊技媒体を払出すことで遊技者に利益を付与するものである。
【０００３】
ところで、特許文献１に記載されたパチスロ機は、複数の機械式回転リールを側板の内部に収納して形成されたリールユニットを有する。従来から、このようなリールユニットの側板を金属で形成したものや、樹脂で形成した遊技機が知られている。
【先行技術文献】
【特許文献】
【０００４】
【特許文献１】特開平１１−１１４１３０号公報
【発明の概要】
【発明が解決しようとする課題】
【０００５】
しかしながら、リールユニットの側板を金属で形成した場合には、リールユニットの強度が向上できる一方、リールユニットの重量が増大し（一般的に平均４ｋｇ）、リールユニットを遊技機に取り付ける作業の製造工程に遅延を招いていた。
【０００６】
また、リールユニットの側板を樹脂で形成した場合には、リールユニットを軽量化でき（一般的に平均１ｋｇ）、リールユニットを遊技機に取り付ける作業の製造工程を短縮できる一方、リールユニットの強度は、金属で形成した場合に比べ、低くなる。また、側板を樹脂で形成したリールユニットには、リールの回転に伴い発生した静電気が帯電し、この静電気の帯電を防止することは困難であった。
【０００７】
本発明は、リールユニットの強度を向上しつつも、リールユニットを取り付ける作業の製造工程を短縮させるとともに、静電気の帯電を防止できる遊技機を提供することを目的とする。
【課題を解決するための手段】
【０００８】
（１）  遊技に必要な複数のシンボル群を変動表示するリールユニットと、遊技者が操作可能なスタートレバーと、遊技者による前記スタートレバーの操作に基づいて前記リールユニットのシンボル群を変動表示させる制御を行うコントローラと、これらが設けられる筐体と、を備え、前記筐体は、箱状の金属製のキャビネットを有し、前記リールユニットは、前記シンボル群が描かれたリールシートが配設された複数のリールドラムと、前記リールドラムをそれぞれ回転駆動させるための複数のリールモータと、前記キャビネットに接続され、前記リールドラムと前記リールモータとがそれぞれ取り付けられる複数の金属製のモータベースと、並べて配置された前記リールドラムおよび前記モータベースの一部を覆う樹脂製のリールベースと、前記リールベースの上部と前記モータベースの上部に固定され、複数の前記モータベースの上部に跨って延びる板状体に形成された金属製の上部固定プレートと、前記リールベースの下部と前記モータベースの下部とともに固定され、複数の前記モータベースの下部に跨って延びる板状体に形成された金属製の下部固定プレートと、前記リールベースの上部と前記上部固定プレートと前記モータベースの上部とを重畳させた状態で固定する金属製のモータベース上部固定部材と、前記リールベースの下部と前記下部固定プレートと前記モータベースの下部とを重畳させた状態で固定する金属製のモータベース下部固定部材と、を有することを特徴とする遊技機。
【０００９】
（１）の遊技機によれば、リールベースを樹脂製とすることで、リールユニットを軽量化することが可能となり、リールユニットを取り付ける作業が容易になり、この作業の製造工程を短縮できる。
【００１０】
また、モータベース上部固定部材により、リールベースの上部と、並べて配置された複数のモータベースの上部に跨って延びる板状体に形成された金属製の上部固定プレートと、複数のモータベースの上部とを重畳させて固定した。また、モータベース下部固定部材により、リールベースの下部と、並べて配置された複数のモータベースの下部に跨って延びる板状体に形成された金属製の下部固定プレートと、複数のモータベースの下部とを重畳させて固定した。
【００１１】
これにより、リールベースを樹脂製としていても、このリールベースと複数のモータベースとを、金属製の上部固定プレートおよび下部固定プレートにより一体的に固定したので、この固定した部分の補強が可能となり、リールユニットの強度を向上できる。
【００１２】
ここで、遊技者によりスタートレバーの操作がされると、コントローラの制御により、リールモータがリールドラムを回転駆動させる。すると、リールモータやリールドラムの回転により静電気が発生し、この静電気は、樹脂製のリールベースに帯電することがある。
【００１３】
そこで本発明は、樹脂製のリールベースの上部と下部を、金属製のモータベース上部固定部材および金属製のモータベース下部固定部材により、金属製の上部固定プレートおよび金属製の下部固定プレートとともに、金属製のモータベースと固定した。金属製のモータベースは金属製のキャビネットに接続した。
【００１４】
これにより、リールモータやリールドラムの回転により静電気が発生しても、この静電気は、樹脂製のリールベースに帯電することなく、金属製のモータベース上部固定部材およびモータベース下部固定部材を介して、金属製の上部固定プレートおよび下部固定プレートから金属製のモータベースへ流れる。そして、このモータベースに流れた静電気は、モータベースが接続された金属製のキャビネットへ流れる。よって、リールユニットに静電気が帯電するのを防止できる。
【００１５】
したがって、リールユニットの強度を向上しつつも、リールユニットを取り付ける作業の製造工程を短縮できるとともに、静電気の帯電を防止できる遊技機を提供できる。
【００１６】
（２）  遊技に必要な複数のシンボル群を変動表示するリールユニットと、遊技者が操作可能なスタートレバーと、遊技者による前記スタートレバーの操作に基づいて前記リールユニットのシンボル群を変動表示させる制御を行うコントローラと、これらが設けられる筐体と、を備え、前記筐体は、箱状の金属製のキャビネットと、前記キャビネットの内部の高さ方向略中央で上下に仕切り前記キャビネットの内部に接続された金属製のミドルボードと、を有し、前記リールユニットは、前記シンボル群が描かれたリールシートが配設された複数のリールドラムと、前記リールドラムをそれぞれ回転駆動させるための複数のリールモータと、前記ミドルボードに接続され、前記リールドラムと前記リールモータとがそれぞれ取り付けられる複数の金属製のモータベースと、並べて配置された前記リールドラムおよび前記モータベースの一部を覆う樹脂製のリールベースと、前記リールベースの上部と前記モータベースの上部ととともに固定され、複数の前記モータベースの上部に跨って延びる板状体に形成された金属製の上部固定プレートと、前記リールベースの下部とともに固定される金属製の下部固定プレートと、前記リールベースの上部と前記上部固定プレートと前記モータベースの上部とを重畳させた状態で固定する金属製のモータベース上部固定部材と、前記リールベースの下部と前記下部固定プレートと前記ミドルボードとを重畳させた状態で固定する金属製のミドルボード固定部材と、を有することを特徴とする遊技機。
【００１７】
（２）の遊技機によれば、リールベースを樹脂製とすることで、リールユニットを軽量化することが可能となり、リールユニットを取り付ける作業が容易になり、この作業の製造工程を短縮できる。
また、モータベース上部固定部材により、リールベースの上部と、並べて配置された複数のモータベースの上部に跨って延びる板状体に形成された金属製の上部固定プレートと、複数のモータベースの上部とを重畳させて固定した。また、ミドルボード固定部材により、リールベースの下部と金属製のミドルボードと、下部固定プレートとを重畳させて固定した。
【００１８】
これにより、リールベースを樹脂製としていても、このリールベースと複数のモータベースとを、金属製の上部固定プレートにより一体的に固定し、さらに、このリールベースを下部固定プレートとともにミドルボードと固定したので、この固定した部分の補強が可能となり、リールユニットの強度を向上できる。
【００１９】
さらに、ミドルボードをキャビネットの内部の高さ方向略中央に接続した。これにより、キャビネットの強度を向上できる。
【００２０】
ここで、遊技者によりスタートレバーの操作がされると、コントローラの制御により、リールモータがリールドラムを回転駆動させる。すると、リールモータやリールドラムの回転により静電気が発生し、この静電気は、樹脂製のリールベースに帯電することがある。
【００２１】
そこで本発明は、樹脂製のリールベースの上部を、金属製のモータベース上部固定部材により、金属製の上部固定プレートとともに、金属製のモータベースと固定した。樹脂製のリールベースの下部を、金属製のミドルボード固定部材により、金属製の下部固定プレートとともに、金属製のミドルボードに固定した。金属製のミドルボードは金属製のキャビネットに接続した。
【００２２】
これにより、リールモータやリールドラムの回転により静電気が発生しても、この静電気は、樹脂製のリールベースに帯電することなく、ミドルボード固定部材を介して、金属製の下部固定プレートから金属製のミドルボードへ流れる。そして、このミドルボードを介して、金属製のキャビネットへ流れる。よって、リールユニットに静電気が帯電するのを防止できる。
【００２３】
したがって、リールユニットやキャビネットの強度を向上しつつも、リールユニットを取り付ける作業の製造工程を短縮できるとともに、静電気の帯電を防止できる遊技機を提供できる。
【００２４】
（３）  遊技に必要な複数のシンボル群を変動表示するリールユニットと、遊技者が操作可能なスタートレバーと、遊技者による前記スタートレバーの操作に基づいて前記リールユニットのシンボル群を変動表示させる制御を行うコントローラと、これらが設けられる筐体と、を備え、前記筐体は、箱状の金属製のキャビネットと、前記キャビネットの内部の高さ方向略中央で上下に仕切り前記キャビネットの内部に接続された金属製のミドルボードと、を有し、前記リールユニットは、前記シンボル群が描かれたリールシートが配設された複数のリールドラムと、前記リールドラムをそれぞれ回転駆動させるための複数のリールモータと、前記キャビネットに接続され、前記リールドラムと前記リールモータとがそれぞれ取り付けられる複数の金属製のモータベースと、並べて配置された前記リールドラムおよび前記モータベースの一部を覆う樹脂製のリールベースと、前記リールベースの上部と前記モータベースの上部に固定され、複数の前記モータベースの上部に跨って延びる板状体に形成された金属製の上部固定プレートと、前記リールベースの下部と前記モータベースの下部とともに固定され、複数の前記モータベースの下部に跨って延びる板状体に形成された金属製の下部固定プレートと、前記リールベースの上部と前記上部固定プレートと前記モータベースの上部とを重畳させた状態で固定する金属製のモータベース上部固定部材と、前記リールベースの下部と前記下部固定プレートと前記モータベースの下部とを重畳させた状態で固定する金属製のモータベース下部固定部材と、前記リールベースの下部と前記下部固定プレートと前記ミドルボードとを重畳させた状態で固定する金属製のミドルボード固定部材と、を有することを特徴とする遊技機。
【００２５】
（３）の遊技機によれば、リールベースを樹脂製とすることで、リールユニットを軽量化することが可能となり、リールユニットを取り付ける作業が容易になり、この作業の製造工程を短縮できる。
【００２６】
また、モータベース上部固定部材により、リールベースの上部と、並べて配置された複数のモータベースの上部に跨って延びる板状体に形成された金属製の上部固定プレートと、複数のモータベースの上部とを重畳させて固定した。また、モータベース下部固定部材により、リールベースの下部と、並べて配置された複数のモータベースの下部に跨って延びる板状体に形成された金属製の下部固定プレートと、複数のモータベースの下部とを重畳させて固定した。さらに、ミドルボード固定部材により、リールベースの下部と、並べて配置された複数のモータベースの下部に跨って延びる板状体に形成された金属製の下部固定プレートと、ミドルボードとを重畳させて固定した。
【００２７】
これにより、リールベースを樹脂製としていても、このリールベースと複数のモータベースと、ミドルボードとを、金属製の上部固定プレートおよび下部固定プレートにより一体的に固定したので、この固定した部分の補強が可能となり、リールユニットの強度を向上できる。
【００２８】
さらに、ミドルボードをキャビネットの内部の高さ方向略中央に接続した。これにより、キャビネットの強度を向上できる。
【００２９】
ここで、遊技者によりスタートレバーの操作がされると、コントローラの制御により、リールモータがリールドラムを回転駆動させる。すると、リールモータやリールドラムの回転により静電気が発生し、この静電気は、樹脂製のリールベースに帯電することがある。
そこで本発明は、樹脂製のリールベースの上部と下部を、金属製のモータベース上部固定部材、金属製のモータベース下部固定部材により、金属製の上部固定プレートおよび金属製の下部固定プレートをとともに、金属製のモータベースと固定した。そして、金属製の下部固定プレートをリールベースの下部とともに、ミドルボード固定部材により、金属製のミドルボードに接続し、このミドルボードを金属製のキャビネットに接続した。
【００３０】
これにより、リールモータやリールドラムの回転により静電気が発生しても、この静電気は、樹脂製のリールベースに帯電することなく、金属製のモータベース上部固定部材を介して、金属製の上部固定プレートから金属製のモータベースへ流れる。そして、この静電気は、モータベース下部固定部材を介して、金属製の下部固定プレートへ流れ、ミドルボード固定部材により金属製のミドルボードへ流れる。そして、このミドルボードを介して、金属製のキャビネットへ流れる。よって、リールユニットに静電気が帯電するのを防止できる。
【００３１】
したがって、リールユニットやキャビネットの強度を向上しつつも、リールユニットを取り付ける作業の製造工程を短縮できるとともに、静電気の帯電を防止できる遊技機を提供できる。
【００３２】
（４）  遊技に必要な複数のシンボル群を変動表示するリールユニットと、遊技者が操作可能なスタートレバーと、遊技者による前記スタートレバーの操作に基づいて前記リールユニットのシンボル群を変動表示させる制御を行うコントローラと、これらが設けられる筐体と、を備え、前記筐体は、箱状の金属製のキャビネットと、前記キャビネットの内部の高さ方向略中央で上下に仕切り前記キャビネットの内部に接続された金属製のミドルボードと、を有し、前記リールユニットは、前記シンボル群が描かれたリールシートが配設された複数のリールドラムと、前記リールドラムをそれぞれ回転駆動させるための複数のリールモータと、前記キャビネットに接続され、前記リールドラムと前記リールモータとがそれぞれ取り付けられる複数の金属製のモータベースと、並べて配置された前記リールドラムおよび前記モータベースの一部を覆う樹脂製のリールベースと、前記リールベースの上部と前記モータベースの上部に固定され、複数の前記モータベースの上部に跨って延びる板状体に形成された金属製の上部固定プレートと、前記リールベースの下部と前記モータベースの下部とともに固定され、複数の前記モータベースの下部に跨って延びる板状体に形成された金属製の下部固定プレートと、前記リールベースの上部と前記上部固定プレートと前記モータベースの上部とを重畳させた状態で固定する金属製のモータベース上部固定ネジと、前記リールベースの下部と前記下部固定プレートと前記モータベースの下部と前記ミドルボードとを重畳させた状態で固定する金属製のモータベース下部固定ネジと、前記リールベースの下部と前記下部固定プレートと前記ミドルボードとを重畳させた状態で固定する金属製のミドルボード固定ネジと、を有し、前記モータベースの上部には、前記モータベース上部固定ネジが挿入されるネジ穴を有する上部固定部が形成され、前記モータベースの下部には、前記モータベース下部固定ネジが挿入されるネジ穴を有する下部固定部が形成され、前記リールベースの上部には、表面から前記上部固定部が嵌み込まれる上部凹部が形成され、この上部凹部の裏面側には、前記上部固定プレートを支持する上部支持部が形成され、前記リールベースの下部には、表面から前記下部固定部が嵌み込まれる下部凹部が形成され、この下部凹部の裏面側には、前記下部固定プレートを支持する下部支持部が形成されることを特徴とする遊技機。
【００３３】
（４）の遊技機によれば、リールベースを樹脂製とすることで、リールユニットを軽量化することが可能となり、リールユニットを取り付ける作業が容易になり、この作業の製造工程を短縮できる。
【００３４】
また、モータベース上部固定ネジにより、リールベースの上部と、並べて配置された複数のモータベースの上部に跨って延びる板状体に形成された金属製の上部固定プレートと、複数のモータベースの上部とを重畳させて固定した。また、モータベース下部固定ネジにより、リールベースの下部と、並べて配置された複数のモータベースの下部に跨って延びる板状体に形成された金属製の下部固定プレートと、複数のモータベースの下部とを重畳させて固定した。さらに、ミドルボード固定ネジにより、リールベースの下部と、並べて配置された複数のモータベースの下部に跨って延びる板状体に形成された金属製の下部固定プレートと、ミドルボードとを重畳させて固定した。
【００３５】
これにより、リールベースを樹脂製としていても、このリールベースと複数のモータベースと、ミドルボードとを、金属製の上部固定プレートおよび下部固定プレートにより一体的に固定したので、この固定した部分の補強が可能となり、リールユニットの強度を向上できる。
【００３６】
また、ミドルボードをキャビネットの内部の高さ方向略中央に接続した。これにより、キャビネットの強度を向上できる。
【００３７】
ここで、遊技者によりスタートレバーの操作がされると、コントローラの制御により、リールモータがリールドラムを回転駆動させる。すると、リールモータやリールドラムの回転により静電気が発生し、この静電気は、樹脂製のリールベースに帯電することがある。
【００３８】
そこで本発明は、樹脂製のリールベースの上部と下部を、金属製のモータベース上部固定ネジ、金属製のモータベース下部固定ネジにより、金属製の上部固定プレートおよび金属製の下部固定プレートをとともに、金属製のモータベースと固定した。そして、金属製の下部固定プレートをリールベースの下部とともに、ミドルボード固定ネジにより、金属製のミドルボードに接続し、このミドルボードを金属製のキャビネットに接続した。
【００３９】
これにより、リールモータやリールドラムの回転により静電気が発生しても、この静電気は、樹脂製のリールベースに帯電することなく、金属製のモータベース上部固定ネジを介して、金属製の上部固定プレートから金属製のモータベースへ流れる。そして、この静電気は、モータベース下部固定ネジを介して、金属製の下部固定プレートへ流れ、ミドルボード固定ネジにより金属製のミドルボードへ流れる。そして、このミドルボードを介して、金属製のキャビネットへ流れる。よって、リールユニットに静電気が帯電するのを防止できる。
【００４０】
さらに、リールベースの上部には、表面からモータベースの上部固定部を嵌み込む上部凹部を形成し、リールベースの下部には、表面からモータベースの下部固定部を嵌み込む下部凹部を形成した。これにより、リールベースの上部凹部にモータベースの上部固定部を嵌み込み、リールベースの下部凹部にモータベースの下部固定部を嵌み込み固定することで、リールベースとモータベースが左右方向に移動してしまうのを防止できる。また、リールベースの上部凹部にモータベースの上部固定部を嵌み込み、リールベースの下部凹部にモータベースの下部固定部を嵌み込むだけで、リールベースとモータベースとの位置決めが正確にできるので、リールユニットを組み立てる作業が容易になり、この作業の製造工程を短縮できる。
【００４１】
さらにまた、上部凹部の裏面側には、上部固定プレートを支持する上部支持部を形成し、下部凹部の裏面側には、下部固定プレートを支持する下部支持部を形成した。これにより、リールユニットを組み立てる作業時には、まず、リールベースの上部支持部により上部固定プレートを支持させ、リールベースの下部支持部により下部固定プレートを支持させてから、リールベースにモータベースを取り付けることができるので、１つずつ部品を取り付けていくことが可能となり、リールユニットを組み立てる作業が容易になる。また、リールベースの上部凹部および下部凹部は、表面のモータベース上部および下部と裏面の上部固定プレートおよび下部固定プレートとによって挟まれて固定される。すなわち、リールベースを樹脂製で形成しても、他の部品と固定する部分を金属製の部品によって挟んで固定することができるので、リールユニットの強度を向上できる。
【発明の効果】
【００４２】
本発明によれば、リールユニットやキャビネットの強度を向上しつつも、リールユニットを取り付ける作業の製造工程を短縮できるとともに、静電気の帯電を防止できる遊技機を提供できる。
【図面の簡単な説明】
【００４３】
【図１】本実施の形態における遊技機の機能フローを示す図である。
【図２】本実施の形態におけるパチスロの外部構造を示す図である。
【図３】本実施の形態におけるパチスロの外部構造を示す図である。
【図４】本実施の形態におけるパチスロの内部構造を示す図である。
【図５】本実施の形態におけるパチスロが備える回路の構成を示す図である。
【図６】本実施の形態におけるミドルボードに接続されたリールユニットの構成を示す斜視図である。
【図７】本実施の形態におけるリールの分解斜視である。
【図８】本実施の形態におけるミドルボードに接続されたリールユニットの分解斜視である。
【図９】本実施の形態におけるミドルボードに接続されたリールユニットの構成を示す断面斜視図である。
【図１０】本実施の形態におけるミドルボードに接続されたリールユニットの構成を示す断面図である。
【発明を実施するための形態】
【００４４】
本発明の遊技機に係る実施の形態について、以下図面を参照しながら説明する。はじめに、図１を参照して、本実施の形態における遊技機（以下、パチスロ）１の機能フローについて説明する。
【００４５】
遊技者によりメダルが投入され、スタートレバー６が操作されると、予め定められた数値の範囲（例えば、０〜６５５３５）の乱数から１つの値（以下、乱数値）が抽出される。
【００４６】
コントローラ（後述のメインＣＰＵ３１）は、抽出された乱数値に基づいて抽籤を行い、内部当籤役を決定する。内部当籤役の決定により、後述の入賞判定ラインに沿って表示を行うことを許可するシンボルの組合せが決定される。尚、シンボルの組合せの種別としては、メダルの払い出し、再遊技の作動、ボーナスの作動等といった特典が遊技者に与えられる「入賞」に係るものと、それ以外のいわゆる「ハズレ」に係るものとが設けられている。
【００４７】
続いて、リールユニット１００に含まれる複数のリール１２０Ｌ，１２０Ｃ，１２０Ｒの回転が行われた後で、遊技者によりストップボタン７Ｌ，７Ｃ，７Ｒが押されると、後述のモータ駆動回路３９は、リールユニット１００に含まれるステッピングモータ１２２Ｌ，１２２Ｃ，１２２Ｒを、内部当籤役とストップボタンが押されたタイミングとに基づいて停止する制御を行うことで、該当するリールの回転を停止する。
【００４８】
ここで、パチスロ１では、基本的に、ストップボタンが押されたときから規定時間（１９０ｍｓｅｃ）内に、該当するリールの回転を停止する制御が行われる。本実施の形態では、上記規定時間内でのリール１２０Ｌ，１２０Ｃ，１２０Ｒの回転に伴って移動するシンボルの数を「滑り駒数」と呼び、その最大数をシンボル４個分に定める。
【００４９】
モータ駆動回路３９は、ステッピングモータ１２２Ｌ，１２２Ｃ，１２２Ｒにより、入賞に係るシンボルの組合せの表示を許可する内部当籤役が決定されているときには、上記規定時間を利用して、そのシンボルの組合せが入賞判定ラインに沿って極力表示されるようにリール１２０Ｌ，１２０Ｃ，１２０Ｒの回転を停止する。その一方で、内部当籤役によってその表示が許可されていないシンボルの組合せについては、上記規定時間を利用して、入賞判定ラインに沿って表示されることがないようにリール１２０Ｌ，１２０Ｃ，１２０Ｒの回転を停止する。
【００５０】
こうして、複数のリール１２０Ｌ，１２０Ｃ，１２０Ｒの回転が全て停止されると、メインＣＰＵ３１は、入賞判定ラインに沿って表示されたシンボルの組合せが、入賞に係るものであるか否かの判定を行う。入賞に係るものであるとの判定が行われると、メダルの払い出し等の特典が遊技者に与えられる。以上のような一連の流れがパチスロ１における１回の遊技として行われる。
【００５１】
また、パチスロ１では、前述した一連の流れの中で、液晶表示装置５により行う映像の表示、ランプ１４により行う光の出力、スピーカ９Ｌ，９Ｒにより行う音の出力、或いはこれらの組合せを利用して様々な演出が行われる。
遊技者によりスタートレバー６が操作されると、前述の内部当籤役の決定に用いられた乱数値とは別に、演出用の乱数値（以下、演出用乱数値）が抽出される。演出用乱数値が抽出されると、後述のサブＣＰＵ８１は、内部当籤役に対応づけられた複数種類の演出内容の中から今回実行するものを抽籤により決定する。
【００５２】
演出内容が決定されると、後述の液晶表示装置５、後述のスピーカ９Ｌ，９Ｒ、後述のランプ１４は、リール１２０Ｌ，１２０Ｃ，１２０Ｒの回転が開始されるときや、各リール１２０Ｌ，１２０Ｃ，１２０Ｒの回転がそれぞれ停止されるときに、入賞の有無の判定が行われたとき等の各契機に連動させて演出の実行を進める。このように、パチスロ１では、内部当籤役に対応づけられた演出内容を実行することによって、決定された内部当籤役（言い換えると、狙うべきシンボルの組合せ）を知る或いは予想する機会が遊技者に提供され、遊技者の興味の向上が図られる。
【００５３】
［パチスロの構造］
パチスロ１の機能フローについての説明は以上である。次に、図２乃至図４を参照して、本実施の形態におけるパチスロ１の構造について説明する。
【００５４】
＜パチスロの外部構造＞
図２，３は、本実施の形態におけるパチスロ１の外部構造を示す。
（リールと表示窓）
【００５５】
パチスロ１は、リール１２０Ｌ，１２０Ｃ，１２０Ｒや回路基板等を収容するキャビネット１ａと、キャビネット１ａに対して開閉可能に取り付けられるフロントドア２とを備える。キャビネット１ａの内部には、３つのリール１２０Ｌ，１２０Ｃ，１２０Ｒが横並びに設けられている。各リール１２０Ｌ，１２０Ｃ，１２０Ｒは、円筒状のフレームの周面に、シンボル群として複数のシンボル（例えば２１個）が回転方向に沿って連続的に配された帯状のシートを貼り付けて構成されている。各リール１２０Ｌ，１２０Ｃ，１２０Ｒの詳細な構成は後述する。
【００５６】
フロントドア２の中央には、液晶表示装置５が設けられている。液晶表示装置５は、シンボル表示領域２１Ｌ，２１Ｃ，２１Ｒを含む表示画面５ａを備え、正面から見て３つのリール１２０Ｌ，１２０Ｃ，１２０Ｒに重畳する手前側に位置するように設けられている。シンボル表示領域２１Ｌ，２１Ｃ，２１Ｒは、３つのリール１２０Ｌ，１２０Ｃ，１２０Ｒのそれぞれに対応して設けられており、その背後に設けられたリール１２０Ｌ，１２０Ｃ，１２０Ｒを透過することが可能な構成を備えている。
【００５７】
つまり、シンボル表示領域２１Ｌ，２１Ｃ，２１Ｒは、表示窓としての機能を果たすものであり、その背後に設けられたリール１２０Ｌ，１２０Ｃ，１２０Ｒの回転およびその停止の動作が遊技者側から視認可能となる。また、本実施の形態では、シンボル表示領域２１Ｌ，２１Ｃ，２１Ｒを含めた表示画面５ａの全体を使って、映像の表示が行われ、演出が実行される。
【００５８】
シンボル表示領域（以下、表示窓）２１Ｌ，２１Ｃ，２１Ｒは、その背後に設けられたリール１２０Ｌ，１２０Ｃ，１２０Ｒの回転が停止されたとき、リール１２０Ｌ，１２０Ｃ，１２０Ｒの表面に配された複数種類のシンボルのうち、その枠内における上段、中段および下段の各領域にそれぞれ１個のシンボル（合計で３個）を表示する。また、各表示窓２１Ｌ，２１Ｃ，２１Ｒが有する上段、中段および下段からなる３つの領域のうち予め定められた何れかをそれぞれ組合せてなる擬似的なラインを、入賞か否かの判定を行う対象となるライン（入賞判定ライン）として定義する。
【００５９】
（操作装置）
フロントドア２には、遊技者による操作の対象となる各種装置が設けられている。メダル投入口１０は、遊技者によって外部から投下されるメダルを受け入れるために設けられる。メダル投入口１０に受け入れられたメダルは、所定枚数（例えば３枚）を上限として１回の遊技に投入されることとなり、所定枚数を超えた分はパチスロ１内部に預けることが可能となる（いわゆるクレジット機能）。
【００６０】
ベットボタン１１は、パチスロ１内部に預けられているメダルから１回の遊技に投入する枚数を決定するために設けられる。精算ボタン１２は、パチスロ１内部に預けられているメダルを外部に引き出すために設けられる。
【００６１】
スタートレバー６は、全てのリール１２０Ｌ，１２０Ｃ，１２０Ｒの回転を開始するために設けられる。ストップボタン７Ｌ，７Ｃ，７Ｒは、３つのリール１２０Ｌ，１２０Ｃ，１２０Ｒのそれぞれに対応づけられ、対応するリール１２０Ｌ，１２０Ｃ，１２０Ｒの回転を停止するために設けられる。
【００６２】
（その他装置）
ランプ（ＬＥＤ等）１４は、演出内容に応じた点消灯のパターンにて光を出力する。スピーカ９Ｌ，９Ｒは、演出内容に応じた効果音や楽曲等の音を出力する。メダル払出口１５は、後述のメダル払出装置４０（後述の図４参照）の駆動により排出されるメダルを外部に導く。メダル払出口１５から排出されたメダルは、メダル受皿１６に貯められる。
【００６３】
＜パチスロの内部構造＞
図４は、本実施の形態におけるパチスロ１の内部構造を示す。フロントドア２が開放され、キャビネット１ａ内部の構造が現れた状態が示されている。
【００６４】
キャビネット１ａは、金属製の箱状体であり、接地されている。キャビネット１ａ内部の高さ方向略中央には、キャビネット１ａ内部を上下に仕切る補強板としてのミドルボード２００が設けられている。このミドルボード２００の上には、３つのリール１２０Ｌ，１２０Ｃ，１２０Ｒを含むリールユニット１００が載置され、接続されている。
【００６５】
また、キャビネット１ａ内部の下方には、多量のメダルを収容可能で、それらを１枚ずつ排出可能な構造を有するメダル払出装置（以下、ホッパー）４０が設けられている。ホッパー４０の左側には、パチスロ１が有する各装置に対して必要な電力を供給するための電源装置４３が設けられている。
【００６６】
なお、キャビネット１ａは、全部が金属製であるものに限らず、接地の確保に必要な部分だけ金属製とすることができる。
【００６７】
［パチスロが備える回路の構成］
パチスロ１の構造についての説明は以上である。次に、図５を参照して、本実施の形態におけるパチスロ１が備える回路の構成について説明する。本実施の形態におけるパチスロ１は、主制御回路７１、副制御回路７２およびこれらと電気的に接続する周辺装置（アクチュエータ）を備える。
【００６８】
＜主制御回路＞
図５は、本実施の形態におけるパチスロ１の主制御回路７１、副制御回路７２およびこれらと電気的に接続する周辺装置の構成を示す。
【００６９】
（マイクロコンピュータ）
主制御回路７１は、回路基板上に設置されたマイクロコンピュータ３０を主たる構成要素としている。マイクロコンピュータ３０は、ＣＰＵ（以下、メインＣＰＵ）３１、ＲＯＭ（以下、メインＲＯＭ）３２およびＲＡＭ（以下、メインＲＡＭ）３３により構成される。
【００７０】
メインＲＯＭ３２には、メインＣＰＵ３１により実行される制御プログラム、内部抽籤テーブル等のデータテーブル、副制御回路７２に対して各種制御指令（コマンド）を送信するためのデータ等が記憶されている。メインＲＡＭ３３には、制御プログラムの実行により決定された内部当籤役等の各種データを格納する格納領域が設けられる。
【００７１】
（乱数発生器等）
メインＣＰＵ３１には、クロックパルス発生回路３４、分周器３５、乱数発生器３６およびサンプリング回路３７が接続されている。クロックパルス発生回路３４および分周器３５は、クロックパルスを発生する。メインＣＰＵ３１は、発生されたクロックパルスに基づいて、制御プログラムを実行する。乱数発生器３６は、予め定められた範囲の乱数（例えば、０〜６５５３５）を発生する。サンプリング回路３７は、発生された乱数の中から１つの値を抽出する。
【００７２】
（スイッチ等）
マイクロコンピュータ３０の入力ポートには、スイッチ等が接続されている。メインＣＰＵ３１は、スイッチ等の入力を受けて、ステッピングモータ１２２Ｌ，１２２Ｃ，１２２Ｒ等の周辺装置の動作を制御する。ストップスイッチ７Ｓは、３つのストップボタン７Ｌ，７Ｃ，７Ｒのそれぞれが遊技者により押されたこと（停止操作）を検出する。また、スタートスイッチ６Ｓは、スタートレバー６が遊技者により操作されたこと（開始操作）を検出する。
【００７３】
メダルセンサ４２Ｓは、メダル投入口１０に受け入れられたメダルが前述のセレクタ４２内を通過したことを検出する。また、ベットスイッチ１１Ｓは、ベットボタン１１が遊技者により押されたことを検出する。また、精算スイッチ１２Ｓは、精算ボタン１２が遊技者により押されたことを検出する。
【００７４】
（周辺装置および回路）
マイクロコンピュータ３０により動作が制御される周辺装置としては、ステッピングモータ１２２Ｌ，１２２Ｃ，１２２Ｒ、７セグ表示器１３およびホッパー４０がある。また、マイクロコンピュータ３０の出力ポートには、各周辺装置の動作を制御するための回路が接続されている。
【００７５】
モータ駆動回路３９は、各リール１２０Ｌ，１２０Ｃ，１２０Ｒに対応して設けられたステッピングモータ１２２Ｌ，１２２Ｃ，１２２Ｒの駆動を制御する。リール位置検出回路５０は、発光部と受光部とを有する光センサにより、リール１２０Ｌ，１２０Ｃ，１２０Ｒが一回転したことを示すリールインデックスを各リール１２０Ｌ，１２０Ｃ，１２０Ｒに応じて検出する。
【００７６】
ステッピングモータ１２２Ｌ，１２２Ｃ，１２２Ｒは、運動量がパルスの出力数に比例し、回転軸を指定された角度で停止させることが可能な構成を備えている。ステッピングモータ１２２Ｌ，１２２Ｃ，１２２Ｒの駆動力は、所定の減速比をもったギアを介してリール１２０Ｌ，１２０Ｃ，１２０Ｒに伝達される。ステッピングモータ１２２Ｌ，１２２Ｃ，１２２Ｒに対して１回のパルスが出力されるごとに、リール１２０Ｌ，１２０Ｃ，１２０Ｒは一定の角度で回転する。
【００７７】
メインＣＰＵ３１は、リールインデックスを検出してからステッピングモータ１２２Ｌ，１２２Ｃ，１２２Ｒに対してパルスを出力した回数をカウントすることによって、リール１２０Ｌ，１２０Ｃ，１２０Ｒの回転角度（主に、リール１２０Ｌ，１２０Ｃ，１２０Ｒがシンボル何個分だけ回転したか）を管理し、リール１２０Ｌ，１２０Ｃ，１２０Ｒの表面に配された各シンボルの位置を管理するようにしている。
【００７８】
すなわち、コントローラであるメインＣＰＵ３１は、遊技者によるスタートレバー６の操作に基づいてリールユニット１００のシンボル群を変動表示させる制御を行う。
【００７９】
表示部駆動回路４８は、７セグ表示器１３の動作を制御する。また、ホッパー駆動回路４１は、ホッパー４０の動作を制御する。また、払出完了信号回路５１は、ホッパー４０に設けられたメダル検出部４０Ｓが行うメダルの検出を管理し、ホッパー４０から外部に排出されたメダルが払出枚数に達したか否かをチェックする。
【００８０】
＜副制御回路＞
副制御回路７２は、主制御回路７１と電気的に接続されており、主制御回路７１から送信されるコマンドに基づいて演出内容の決定や実行等の処理を行う。また、副制御回路７２には、その動作を制御する周辺装置として、液晶表示装置５、スピーカ９Ｌ，９Ｒおよびランプ１４が接続されている。
【００８１】
＜リールユニット＞
図６から図８を参照して、リールユニット１００の構成について説明する。
図６は、ミドルボードに接続されたリールユニットの構成を示す斜視図である。
図７は、リールの分解斜視図である。
図８は、ミドルボードに接続されたリールユニットの分解斜視図である。
【００８２】
図６に示すように、リールユニット１００は、同一回転軸上に並べて配置された３つのリール１２０Ｌ，１２０Ｃ，１２０Ｒと、並べて配置されたこれらの一部を覆う樹脂製のリールベース１１０と、を備える。また、詳しくは図８を参照して後述するが、リールユニット１００は、さらに、上部固定プレート１３０と、下部固定プレート１５０と、モータベース上部固定ネジ（モータベース上部固定部材）１７１Ｌ，１７１Ｃ，１７１Ｒと、モータベース下部固定ネジ（モータベース下部固定部材）１７０Ｌ，１７０Ｃ，１７０Ｒとを備える。
【００８３】
ミドルボード２００は、端縁が上方に向けて略Ｌ字型に曲げられ、キャビネット１ａの背板に接続されるキャビネット接続部２２０と、端縁が下方に向けて略Ｌ字型に曲げられ、リールユニット１００に接続されるリールユニット接続部２３０とが形成されている。
【００８４】
リールユニット１００は、ミドルボード固定ネジ１６０により、ミドルボード２００に接続されている。
【００８５】
図７に示すように、リール１２０Ｌは、シンボル群が表面に描かれたリールシート１２４Ｌと、このリールシート１２４Ｌが配設された樹脂製のリールドラム１２３ＡＬおよびリールドラム１２３ＢＬと、リールドラム１２３ＡＬおよびリールドラム１２３ＢＬをリールギヤ１２７Ｌを介して回転駆動するステッピングモータ１２２Ｌと、リールギヤ１２７Ｌおよびステッピングモータ１２２Ｌが取り付けられた金属製のモータベース１２１Ｌと、リールギヤ１２７Ｌにリールドラム１２３ＡＬおよびリールドラム１２３ＢＬを固定するリールドラム固定部材１２８Ｌと、を備える。
【００８６】
リールシート１２４Ｌは、リールドラム１２３ＡＬとリールドラム１２３ＢＬとに挟まれ保持されている。リールギヤ１２７Ｌは、所定の減速比をもって、ステッピングモータ１２２Ｌと係合して回転するギヤ部分と、このギヤ部分の回転軸で延びるシャフトとからなる。
【００８７】
リールドラム１２３ＡＬおよびリールドラム１２３ＢＬは、その中心でリールギヤ１２７Ｌのシャフトに接続され、リールドラム固定部材１２８Ｌによって固定される。
【００８８】
リールドラム固定部材１２８Ｌは、２つのカラーによって挟まれて保持されたスプリングと、これらとリールギヤ１２７Ｌのシャフトの先端とを固定するネジとからなる。
【００８９】
モータベース１２１Ｌには、リールベース１１０の上部に固定されるモータベース上部１２６Ｌ（上部固定部）が形成されている。また、モータベース１２１Ｌには、リールベース１１０の下部に固定されるモータベース下部１２５Ｌ（下部固定部）が形成されている。
【００９０】
モータベース上部１２６Ｌは、モータベース上部固定ネジ１７１Ｌが挿入されるネジ穴を有する。また、モータベース下部１２５Ｌは、モータベース下部固定ネジ１７０Ｌが挿入されるネジ穴を有する。
【００９１】
以上、リール１２０Ｌについて説明したが、リール１２０Ｃ，１２０Ｒも同様の構成である。
【００９２】
図８に示すように、リールベース１１０は、開放面を有する箱状体に形成されたリールベース本体１１１と、リールベース本体１１１の開放面側の上端に形成された上部固定部１１２と、リールベース本体１１１の開放面の下端に形成された下部固定部１１４とからなる。
【００９３】
上部固定部１１２には、表面からモータベース上部１２６Ｌ，１２６Ｃ，１２６Ｒが嵌み込まれる上部凹部１１３Ｌ，１１３Ｃ，１１３Ｒが形成されている。下部固定部１１４には、表面からモータベース下部１２５Ｌ，１２５Ｃ，１２５Ｒが嵌み込まれる下部凹部１１６Ｌ，１１６Ｃ，１１６Ｒが形成されている。また、下部固定部１１４には、その略中央にミドルボード固定ネジ１６０が挿入されるネジ穴を有する。
【００９４】
上部凹部１１３Ｌ，１１３Ｃ，１１３Ｒは、モータベース上部固定ネジ１７１Ｌ，１７１Ｃ，１７１Ｒが挿入されるネジ穴を有する。下部凹部１１６Ｌ，１１６Ｃ，１１６Ｒは、モータベース下部固定ネジ１７０Ｌ，１７０Ｃ，１７０Ｒが挿入されるネジ穴を有する。
【００９５】
上部固定プレート１３０は、リールベース１１０の上部固定部１１２とモータベース上部１２６Ｌ，１２６Ｃ，１２６Ｒとともに固定される。上部固定プレート１３０は、金属製であり、並べて配置されたモータベース上部１２６Ｌ，１２６Ｃ，１２６Ｒに跨って延びる板状体に形成されている。また、上部固定プレート１３０は、モータベース上部固定ネジ１７１Ｌ，１７１Ｃ，１７１Ｒが挿入されるネジ穴を有する。
【００９６】
下部固定プレート１５０は、リールベース１１０の下部固定部１１４とモータベース下部１２５Ｌ，１２５Ｃ，１２５Ｒとともに固定される。下部固定プレート１５０は、金属製であり、並べて配置されたモータベース下部１２５Ｌ，１２５Ｃ，１２５Ｒに跨って延びる板状体に形成されている。また、下部固定プレート１５０は、モータベース下部固定ネジ１７０Ｌ，１７０Ｃ，１７０Ｒが挿入されるネジ穴を有する。さらに、下部固定プレート１５０は、その略中央にミドルボード固定ネジ１６０が挿入されるネジ穴を有する。
【００９７】
モータベース上部固定ネジ（モータベース上部固定部材）１７１Ｌ，１７１Ｃ，１７１Ｒは、金属製であり、リールベース１１０の上部固定部１１２と、上部固定プレート１３０と、モータベース上部１２６Ｌ，１２６Ｃ，１２６Ｒとを重畳させた状態で固定する。
【００９８】
モータベース下部固定ネジ（モータベース下部固定部材）１７０Ｌ，１７０Ｃ，１７０Ｒは、金属製であり、リールベース１１０の下部固定部１１４と、下部固定プレート１５０と、モータベース下部１２５Ｌ，１２５Ｃ，１２５Ｒとを重畳させた状態で固定する。
【００９９】
ミドルボード固定ネジ１６０は、金属製であり、リールベース１１０の下部固定部１１４と、下部固定プレート１５０と、ミドルボード２００のリールユニット接続部２３０とを重畳させた状態で固定する。
【０１００】
図９および図１０を参照して、上部固定プレート１３０を支持する上部爪１１７Ｌおよび下部爪１１８Ｌ（上部支持部）と、下部固定プレート１５０を支持するプレート挿通部１１５Ｌ（下部支持部）の構成について説明する。
【０１０１】
図９は、ミドルボードに接続されたリールユニットの構成を示す断面斜視図である。
図１０は、ミドルボードに接続されたリールユニットの構成を示す断面図である。
【０１０２】
図９および図１０に示すように、上部固定プレート１３０を支持する上部爪１１７Ｌおよび下部爪１１８Ｌは、リールベース１１０の上部固定部１１２に形成されている。より詳細に説明すれば、上部爪１１７Ｌおよび下部爪１１８Ｌは、上部固定部１１２の上部凹部１１３Ｌの裏面側に形成されている。
【０１０３】
上部固定部１１２は、天板１１２Ａと側板１１２Ｂと底板１１２Ｃとからなり、その断面形状が略Ｃ字状に形成されている。上部爪１１７Ｌおよび下部爪１１８Ｌは、上部固定部１１２の略Ｃ字状の内側に形成されている。
【０１０４】
上部爪１１７Ｌは、天板１１２Ａに形成され、上部凹部１１３Ｌの裏面から上部固定プレート１３０の厚さ分下がった位置で下方に突出している。
【０１０５】
下部爪１１８Ｌは、底板１１２Ｃに形成され、上部凹部１１３Ｌの裏面から上部固定プレート１３０の厚さ分下がった位置で上方に突出している。
【０１０６】
以上、上部凹部１１３Ｌの裏面側に形成された上部爪１１７Ｌおよび下部爪１１８Ｌについて説明したが、上部凹部１１３Ｃおよび上部凹部１１３Ｒの裏側にも上部爪および下部爪が同様の構成で形成されている。すなわち、上部爪および下部爪は、上部爪１１７Ｌおよび下部爪１１８Ｌの他２箇所にそれぞれ形成されている。
【０１０７】
上記構成により、上部固定プレート１３０は、以下の手順でリールベース１１０の上部固定部１１２に取り付けられ、上部爪および下部爪により支持される。
【０１０８】
まず、上部固定プレート１３０を上部固定部１１２の背後から略Ｃ字状の内側に入れ、上部固定プレート１３０のネジ穴と上部凹部１１３Ｌ，１１３Ｃ，１１３Ｒのネジ穴の位置を合わせ、上部固定プレート１３０の下端を下部爪１１８Ｌの他２箇所にそれぞれ形成された下部爪に掛ける。
【０１０９】
上部爪１１７Ｌが形成された天板１１２Ａを上方に上げつつ上部固定プレート１３０の上端を押し込み上部爪１１７Ｌの他２箇所にそれぞれ形成された上部爪に掛ける。
【０１１０】
このように、３箇所の上下の爪により、上部固定プレート１３０を支持することで、上部固定プレート１３０を、簡易に取り付けられるとともに、３箇所で支持することで、モータベース上部固定ネジ１７１Ｌ，１７１Ｃ，１７１Ｒの挿入時に、上部固定プレート１３０がたわむのを防止できる。
【０１１１】
下部固定プレート１５０を支持するプレート挿通部１１５Ｌは、リールベース１１０の下部固定部１１４に形成されている。より詳細に説明すれば、プレート挿通部１１５Ｌは、下部固定部１１４の下部凹部１１６Ｌの裏面側に形成されている。
【０１１２】
下部固定部１１４は、背板１１４Ｂと、この背板１１４Ｂから突出して形成された３箇所の下部凹部１１６Ｌ，１１６Ｃ，１１６Ｒとからなり、これら下部凹部が形成された部分の断面形状は中空の略四角状に形成されている。プレート挿通部１１５Ｌは、下部凹部１１６Ｌが形成された部分である。
【０１１３】
なお、下部凹部１１６Ｃおよび下部凹部１１６Ｒが形成された部分にもプレート挿通部が同様の構成で形成されている。すなわち、プレート挿通部は、プレート挿通部１１５Ｌの他２箇所に形成されている。
【０１１４】
また、下部固定部１１４の下部凹部１１６Ｌの左側Ｌには、下部固定プレート１５０の左側Ｌの端部を当接させることで、下部固定部１１４の下部凹部１１６Ｌ，１１６Ｃ，１１６Ｒと下部固定プレート１５０とのモータベース下部固定ネジ１７０Ｌ，１７０Ｃ，１７０Ｒが挿入されるネジ穴が合うとともに、下部固定部１１４と下部固定プレート１５０とのミドルボード固定ネジ１６０が挿入されるネジ穴が合う位置に、下部固定プレート１５０を配置できる位置決め部材１８０が形成されている。
【０１１５】
上記構成により、下部固定プレート１５０を、リールベース１１０の右側Ｒより下部固定部１１４の３箇所のプレート挿通部に順次スライドして挿通していき、位置決め部材１８０に当接させる。
【０１１６】
このように、３箇所のプレート挿通部により、下部固定プレート１５０を支持することで、下部固定プレート１５０を支持する構成を簡素化できるとともに、プレート挿通部を中空の略四角状に形成したので、強度の向上が図れる。
【０１１７】
また、位置決め部材１８０を設けたので、下部固定プレート１５０を位置決め部材１８０に当接するだけで、下部固定部１１４と下部固定プレート１５０とのネジ穴を合わせることができる。よって、ネジ穴を合わせる工程を簡素化できる。
【０１１８】
なお、本実施の形態においてリールユニット１００は、ミドルボード２００を介してキャビネット１ａに接続されているが、これに限らず、リールユニット１００を直接キャビネット１ａに接続することができる。また、本実施の形態においてリールユニット１００は、下部固定プレート１５０とミドルボード２００を設けているが、これに限らず、下部固定プレート１５０を省略することもできる。
【０１１９】
以上より本実施の形態によれば、リールベース１１０を樹脂製とすることで、リールユニット１００を軽量化することが可能となり、リールユニット１００を取り付ける作業が容易になり、この作業の製造工程を短縮できる。
【０１２０】
また、モータベース上部固定ネジ１７１Ｌ，１７１Ｃ，１７１Ｒにより、リールベース１１０の上部固定部１１２と、並べて配置されたモータベース上部１２６Ｌ，１２６Ｃ，１２６Ｒに跨って延びる板状体に形成された金属製の上部固定プレート１３０と、モータベース上部１２６Ｌ，１２６Ｃ，１２６Ｒとを重畳させて固定した。また、モータベース下部固定ネジ１７０Ｌ，１７０Ｃ，１７０Ｒにより、リールベース１１０の下部固定部１１４と、並べて配置されたモータベース下部１２５Ｌ，１２５Ｃ，１２５Ｒに跨って延びる板状体に形成された金属製の下部固定プレート１５０と、モータベース下部１２５Ｌ，１２５Ｃ，１２５Ｒとを重畳させて固定した。さらに、ミドルボード固定ネジ１６０により、リールベース１１０の下部固定部１１４と、並べて配置されたモータベース下部１２５Ｌ，１２５Ｃ，１２５Ｒに跨って延びる板状体に形成された金属製の下部固定プレート１５０と、ミドルボード２００のリールユニット接続部２３０とを重畳させて固定した。
【０１２１】
これにより、リールベース１１０を樹脂製としていても、このリールベース１１０と複数のモータベースと、ミドルボード２００とを、金属製の上部固定プレート１３０および下部固定プレート１５０により一体的に固定したので、この固定した部分の補強が可能となり、リールユニット１００の強度を向上できる。
【０１２２】
また、ミドルボード２００をキャビネット１ａの内部の高さ方向略中央に接続した。これにより、キャビネット１ａの強度を向上できる。
【０１２３】
ここで、遊技者によりスタートレバー６の操作がされると、メインＣＰＵ３１の制御により、ステッピングモータ１２２Ｌ，１２２Ｃ，１２２Ｒがリール１２０Ｌ，１２０Ｃ，１２０Ｒを回転駆動させる。すると、ステッピングモータ１２２Ｌ，１２２Ｃ，１２２Ｒやリール１２０Ｌ，１２０Ｃ，１２０Ｒの回転により静電気が発生し、この静電気は、樹脂製のリールベースに帯電することがある。
【０１２４】
そこで本実施の形態は、樹脂製のリールベース１１０の上部固定部１１２と下部固定部１１４を、金属製のモータベース上部固定ネジ１７１Ｌ，１７１Ｃ，１７１Ｒおよび金属製のモータベース下部固定ネジ１７０Ｌ，１７０Ｃ，１７０Ｒにより、金属製の上部固定プレート１３０および金属製の下部固定プレート１５０をとともに、金属製のモータベース上部１２６Ｌ，１２６Ｃ，１２６Ｒおよび金属製のモータベース下部１２５Ｌ，１２５Ｃ，１２５Ｒと固定した。そして、金属製の下部固定プレート１５０をリールベース１１０の下部固定部１１４とともに、ミドルボード固定ネジ１６０により、金属製のミドルボード２００に接続し、このミドルボード２００を金属製のキャビネット１ａに接続した。
【０１２５】
これにより、ステッピングモータ１２２Ｌ，１２２Ｃ，１２２Ｒやリール１２０Ｌ，１２０Ｃ，１２０Ｒの回転により静電気が発生しても、この静電気は、樹脂製のリールベース１１０に帯電することなく、金属製のモータベース上部固定ネジ１７１Ｌ，１７１Ｃ，１７１Ｒを介して、金属製の上部固定プレート１３０から金属製のモータベース下部１２５Ｌ，１２５Ｃ，１２５Ｒへ流れる。そして、この静電気は、モータベース下部固定ネジ１７０Ｌ，１７０Ｃ，１７０Ｒを介して、金属製の下部固定プレート１５０へ流れ、ミドルボード固定ネジ１６０により金属製のミドルボード２００へ流れる。そして、このミドルボード２００を介して、金属製のキャビネット１ａへ流れる。よって、リールユニットに静電気が帯電するのを防止できる。
【０１２６】
さらに、リールベース１１０の上部固定部１１２には、表面からモータベース上部１２６Ｌ，１２６Ｃ，１２６Ｒが嵌め込まれる上部凹部１１３Ｌ，１１３Ｃ，１１３Ｒを形成し、リールベース１１０の下部固定部１１４には、表面からモータベース下部１２５Ｌ，１２５Ｃ，１２５Ｒを嵌み込む下部凹部１１６Ｌ，１１６Ｃ，１１６Ｒを形成した。これにより、上部凹部１１３Ｌ，１１３Ｃ，１１３Ｒにモータベース上部１２６Ｌ，１２６Ｃ，１２６Ｒを嵌み込み、下部凹部１１６Ｌ，１１６Ｃ，１１６Ｒにモータベース下部１２５Ｌ，１２５Ｃ，１２５Ｒを嵌み込み固定することで、リールベースとモータベースが左右方向に移動してしまうのを防止できる。
【０１２７】
また、上部凹部１１３Ｌ，１１３Ｃ，１１３Ｒにモータベース上部１２６Ｌ，１２６Ｃ，１２６Ｒを嵌み込み、下部凹部１１６Ｌ，１１６Ｃ，１１６Ｒにモータベース下部１２５Ｌ，１２５Ｃ，１２５Ｒを嵌み込むだけで、リールベースとモータベースとの位置決めが正確にできるので、リールユニットを組み立てる作業が容易になり、この作業の製造工程を短縮できる。
【０１２８】
さらにまた、上部凹部１１３Ｌ，１１３Ｃ，１１３Ｒの裏面側には、上部固定プレート１３０を支持する上部爪１１７Ｌおよび下部爪１１８Ｌの他それぞれ２箇所の爪を形成し、下部凹部１１６Ｌ，１１６Ｃ，１１６Ｒの裏面側には、下部固定プレート１５０を支持するプレート挿通部１１５Ｌの他２箇所のプレート挿通部を形成した。これにより、リールユニット１００を組み立てる作業時には、まず、リールベース１１０の上部爪１１７Ｌおよび下部爪１１８Ｌの他それぞれ２箇所の爪により上部固定プレート１３０を支持させ、プレート挿通部１１５Ｌの他２箇所のプレート挿通部により下部固定プレート１５０を支持させてから、リールベース１１０にモータベースを取り付けることができるので、１つずつ部品を取り付けていくことが可能となり、リールユニットを組み立てる作業が容易になる。
【０１２９】
また、リールベース１１０の上部凹部１１３Ｌ，１１３Ｃ，１１３Ｒおよび下部凹部１１６Ｌ，１１６Ｃ，１１６Ｒは、表面のモータベース上部１２６Ｌ，１２６Ｃ，１２６Ｒおよびモータベース下部１２５Ｌ，１２５Ｃ，１２５Ｒと裏面の上部固定プレート１３０および下部固定プレート１５０とによって挟まれて固定される。すなわち、リールベースを樹脂製で形成しても、他の部品と固定する部分を金属製の部品によって挟んで固定することができるので、リールユニットの強度を向上できる。
【０１３０】
したがって、リールユニットやキャビネットの強度を向上しつつも、リールユニットを取り付ける作業の製造工程を短縮できるとともに、静電気の帯電を防止できる遊技機を提供できる。
【０１３１】
以上、実施の形態について説明したが、本発明はこれに限られるものではない。
【符号の説明】
【０１３２】
１      パチスロ
１１２  上部固定部
１１４  下部固定部
１２５Ｌ，１２５Ｃ，１２５Ｒ  モータベース下部
１２６Ｌ，１２６Ｃ，１２６Ｒ  モータベース上部
１３０  上部固定プレート
１５０  下部固定プレート
１７１Ｌ，１７１Ｃ，１７１Ｒ  上部ネジ
１７０Ｌ，１７０Ｃ，１７０Ｒ  モータベース下部固定ネジ
【図１】
2010012240.tif 000003
【図２】
2010012240.tif 000004
【図３】
2010012240.tif 000005
【図４】
2010012240.tif 000006
【図５】
2010012240.tif 000007
【図６】
2010012240.tif 000008
【図７】
2010012240.tif 000009
【図８】
2010012240.tif 000010
【図９】
2010012240.tif 000011
【図１０】
2010012240.tif 000012